(57)【要約】      （修正有）【課題】蛇腹ホース内にケーブルを容易に挿入することのできるケーブル挿入治具を提供する。【解決手段】長手方向に割れ目の入った蛇腹ホースの長手方向に牽引索で牽引されて進行しながら蛇腹ホース内にケーブルを挿入するためのケーブル挿入治具であって、蛇腹ホースの割れ目を拡開する拡開部１１と、拡開部で拡開して形成された開口を保持する開口保持部１２と、開口へのケーブルの挿入をガイドするためのケーブルガイド部１３と、拡開部の先端下部に設けられて、長手方向進行時に蛇腹ホースを拡開部の下方にガイドする蛇腹ホースガイド部１４とを備え、開口保持部は一対のサイドフレーム２１と、サイドフレームに設けられた複数のローラ２２とを備え、拡開部は、平面視三角形状に配置される一対のガイドフレーム２４と、ガイドフレームに設けられた複数のローラ２５とを備える。【選択図】図１
2015130715.tif 000002
【特許請求の範囲】
【請求項１】
長手方向に割れ目の入った蛇腹ホースの長手方向に牽引索で牽引されて進行しながら蛇腹ホース内にケーブルを挿入するためのケーブル挿入治具であって、
該ケーブル挿入治具は、
前記蛇腹ホースの割れ目を拡開する拡開部と、
該拡開部で拡開して形成された開口を保持する開口保持部と、
前記開口へのケーブルの挿入をガイドするためのケーブルガイド部と、
前記拡開部の先端下部に設けられて、長手方向進行時に蛇腹ホースを拡開部の下方にガイドする蛇腹ホースガイド部とを備え、
前記開口保持部は、
所定の間隔で平行に配置された一対のサイドフレームと、
該サイドフレームに設けられた開口保持部材とを備え、
前記拡開部は、
前部側に対して後部側が拡開する平面視三角形状に配置され、後端が各サイドフレームの前端にそれぞれ連結される一対のガイドフレームと、該ガイドフレームに設けられた拡開部材とを備え、
前記ケーブルガイド部は、
一対のサイドフレームの後端同士を連結する後部ケーブル抑え部材と、上部側で屈曲した状態で一対のサイドフレーム同士を連結する前部ケーブル抑え部材とを備え、
前記蛇腹ホースガイド部は、
前記各ガイドフレームの前端部にそれぞれ連結された一対のガイド腕と、該一対のガイド腕の先端同士の間に配置されたガイドローラとを備え、前記一対のガイド腕とガイドローラとの間に蛇腹ホースを挿通可能なホース挿通部が形成されている
ことを特徴とするケーブル挿入治具。
【請求項２】
前記開口保持部材及び前記拡開部材は、割れ目の端縁を保持する保持溝を有する複数の溝付きローラであることを特徴とする請求項１記載のケーブル挿入治具。
【請求項３】
前記一対のガイドフレームの先端が開閉可能に形成されていることを特徴とする請求項１又は２記載のケーブル挿入治具。 
【発明の詳細な説明】
【技術分野】
【０００１】
本発明は、ケーブル挿入治具に関し、詳しくは、長手方向に割れ目の入った蛇腹ホースにケーブルを挿入するために用いるケーブル挿入治具に関する。
【背景技術】
【０００２】
列車の線路を工事する際に、架空電線を支持物から外して地面において工事しなければならず、ケーブル（電線）自体を傷つけないようにするため、ケーブルを蛇腹ホース内に挿入し、さらに割りパイプを被せ二重に防護することが行われている。
【０００３】
この蛇腹ホース内にケーブルを挿入するのを容易にするため、蛇腹ホースを長手方向に２つに割った両割りタイプや、長手方向に一つの割れ目を入れ、反対側の内側にスリットを入れたスリットタイプの蛇腹ホース等が開発されている（例えば、非特許文献１参照。）。
【先行技術文献】
【非特許文献】
【０００４】
【非特許文献１】ダイカポリマー株式会社、“仮設用ケーブル保護管”、［ｏｎｌｉｎｅ］、インターネット（ＵＲＬ：／／  ｈｔｔｐ：／／ｗｗｗ．ｄａｉｋａｐｏｌｙｍｅｒ．ｃｏ．ｊｐ／ｐｒｏｄｕｃｔ／ｅｌｅｃｔｒｉｃ＿ｐｏｗｅｒ／ｄａｉｋａ＿ｓｌｉｔ／ｉｎｄｅｘ．ｈｔｍｌ）
【発明の概要】
【発明が解決しようとする課題】
【０００５】
しかしながら、非特許文献１に記載の両割りタイプやスリットタイプの蛇腹ホースではコスト的にも高く、仮設用のケーブル保護管としては、長手方向に沿って１つの割れ目のみが入った片割りタイプの蛇腹ホースが主流である。
【０００６】
この片割りタイプの蛇腹ホースにケーブルを挿入する場合には、蛇腹ホースの先端の割れ目を作業員が手で開き、割れ目を下にしてケーブルの上から体重を載せるようにして順次被せていきながら、挿入しなければならない。この作業時には、割れ目を開くのに作業員の力が必要な上に、体を屈んで作業するため作業員の腰への負担も大きい上に、作業時間がかなりかかってしまう。
【０００７】
そこで本発明は、蛇腹ホース内にケーブルを容易に挿入することのできるケーブル挿入治具を提供することを目的としている。
【課題を解決するための手段】
【０００８】
上記目的を達成するため、本発明のケーブル挿入治具は、長手方向に割れ目の入った蛇腹ホースの長手方向に牽引索で牽引されて進行しながら蛇腹ホース内にケーブルを挿入するためのケーブル挿入治具であって、該ケーブル挿入治具は、前記蛇腹ホースの割れ目を拡開する拡開部と、該拡開部で拡開して形成された開口を保持する開口保持部と、前記開口へのケーブルの挿入をガイドするためのケーブルガイド部と、前記拡開部の先端下部に設けられて、長手方向進行時に蛇腹ホースを拡開部の下方にガイドする蛇腹ホースガイド部とを備え、前記開口保持部は、所定の間隔で平行に配置された一対のサイドフレームと、該サイドフレームに設けられた開口保持部材とを備え、前記拡開部は、前部側に対して後部側が拡開する平面視三角形状に配置され、後端が各サイドフレームの前端にそれぞれ連結される一対のガイドフレームと、該ガイドフレームに設けられた拡開部材とを備え、前記ケーブルガイド部は、一対のサイドフレームの後端同士を連結する後部ケーブル抑え部材と、上部側で屈曲した状態で一対のサイドフレーム同士を連結する前部ケーブル抑え部材とを備え、前記蛇腹ホースガイド部は、前記各ガイドフレームの前端部にそれぞれ連結された一対のガイド腕と、該一対のガイド腕の先端同士の間に配置されたガイドローラとを備え、前記一対のガイド腕とガイドローラとの間に蛇腹ホースを挿通可能なホース挿通部が形成されていることを特徴としている。
【０００９】
また、前記開口保持部材及び前記拡開部材は、割れ目の端縁を保持する保持溝を有する複数の溝付きローラであることを特徴としている。さらに、前記一対のガイドフレームの先端が開閉可能に形成されていると好ましい。
【発明の効果】
【００１０】
本発明のケーブル挿入治具によれば、牽引索で引っ張ると、蛇腹ホースガイド部のガイドローラが回転しながらケーブル挿入治具が長手方向に進行し、拡開部で蛇腹ホースの割れ目を拡開して形成された開口を開口保持部で保持しているので、ケーブルガイド部にガイドされながら開口からケーブルが蛇腹ホース内に挿入されていくので、体を屈んだりする必要もなく、短時間で挿入作業をすることができる。また、ガイドフレームの先端が開閉可能になっているので、ケーブルの中間部分から蛇腹ホースに挿入する際にも作業が容易となっている。
【図面の簡単な説明】
【００１１】
【図１】本発明の一形態例を示すケーブル挿入治具の斜視図である。
【図２】同じくケーブル挿入治具を用いて蛇腹ホースにケーブルを挿入している状態を示す側面図である。
【図３】同じくケーブル挿入治具を用いて蛇腹ホースにケーブルを挿入している状態を示す平面図である。
【図４】同じくケーブル挿入治具のガイドフレームの先端の開閉状態を示す平面図である。
【発明を実施するための形態】
【００１２】
図１乃至図４は、本発明のケーブル挿入治具の一形態例を示す図であり、特に、図２及び図３に示されるように、ケーブル挿入治具１０を用いて、長手方向の全長に亘って１本の割れ目が入った蛇腹ホース１に３本のケーブル２，２，２を挿入する例を用いて説明する。
【００１３】
ケーブル挿入治具１０は、蛇腹ホース１の割れ目を拡開する拡開部１１と、拡開部１１で蛇腹ホース１の割れ目が拡開して形成された開口１ａを保持する開口保持部１２と、前記開口１ａへのケーブル２の挿入をガイドするためのケーブルガイド部１３と、牽引索３によってケーブル挿入治具１０が長手方向に引っ張られた際に、蛇腹ホース１を拡開部１１の下方にガイドする蛇腹ホースガイド部１４とを備えている。
【００１４】
前記開口保持部１２は、所定の間隔で平行に配置された一対のサイドフレーム２１，２１と、該サイドフレーム２１の下面にボルト止めされた複数のローラ２２（本発明の開口保持部材）とで形成されている。
【００１５】
また、前記拡開部１１は、後端が各サイドフレーム２１，２１の前端にリンクプレート２３を介して連結され、前部側に対して後部側が拡開する平面視三角形状に配置される一対のガイドフレーム２４，２４と、該ガイドフレーム２４の下面にボルト止めされた複数のローラ２５（本発明の拡開部材）とで形成されている。リンクプレート２３及びガイドフレーム２４の上面側は、半円筒状のカバー体２６によって被われている。
【００１６】
前記ケーブルガイド部１３は、一対のサイドフレーム２１，２１の後端から下方に突出した取付片２７，２７同士を連結する丸棒状の後部ケーブル抑え部材２８と、一対のサイドフレーム２１の前端同士を連結する前部ケーブル抑え部材２９とからなっている。前部ケーブル抑え部材２９は、サイドフレーム２１，２１の先端に立設される立上り部２９ａ，２９ａと、該立上り部２９ａ，２９ａに連続する逆Ｕ字状の屈曲部２９ｂとから形成されている。
【００１７】
前記蛇腹ホースガイド部１４は、前記拡開部１１の先端下部に設けられており、一対のガイドフレーム２４，２４の前端部にそれぞれ連結された略Ｌ字状の一対のガイド腕３０，３０と、該一対のガイド腕３０，３０の先端同士の間に配置されたガイドローラ３１とを備えている。このガイド腕３０，３０とガイドローラ３１との間に蛇腹ホース１を挿通可能なホース挿通部３２が形成されている。
【００１８】
また、ローラ２２，２５には、蛇腹ホース１の割れ目の端縁を保持するための保持溝が形成されている。さらに、サイドフレーム２１，２１同士、ガイドフレーム２４，２４同士の間には、補強フレーム３３，３４がそれぞれ設けられている。
【００１９】
このように構成されたケーブル挿入治具１０を用いて、蛇腹ホース１に３本のケーブル２を挿入する場合、まず、割れ目側を上部にした状態で蛇腹ホース１をホース挿通部３２に挿通させ、ガイドフレーム２４の先端のローラ２５からサイドフレーム２１の後端のローラ２２まで順に割れ目部分を通していく。図３で示されるように、拡開部１１で蛇腹ホース１の割れ目が拡開され、開口１ａが形成される。
【００２０】
次に、前部ケーブル抑え部材２９の下部側からこの開口１ａに対してケーブル２を挿入し、蛇腹ホース１の先端を作業員が手で抑えた状態で、ガイド腕３０，３０に取り付けられた牽引索３を別の作業員が引く。
【００２１】
牽引索３が引かれると、ガイドローラ３１によって蛇腹ホース１が拡開部１１の下方にガイドされた状態で、ケーブル挿入治具１０が蛇腹ホース１の長手方向に進行する。また、蛇腹ホース１の割れ目の端縁がローラ２２，２５の保持溝に保持されているため、ケーブル挿入治具１０の長手方向への進行に伴って開口１ａも長手方向に移動する。開口１ａが長手方向に移動しながら、ケーブルガイド部１３にケーブルがガイドされ、順次蛇腹ホース１内に挿入されていくのである。
【００２２】
蛇腹ホースは１本あたりの長さが５ｍのものが一般的であるが、これまでケーブルの挿入に手作業で５０秒程度かかっていたものが、このケーブル挿入治具１０を用いれば、１３秒程度で挿入することが可能となる。
【００２３】
また、図４に示すように、ガイドフレーム２４が、サイドフレーム２１との連結部を基点に開閉可能に形成されていることから、ケーブル２の途中部分から蛇腹ホース１に挿入したい場合にも、ケーブル２の横方向からケーブル挿入治具１０をセットできるので作業性に優れている。
【００２４】
なお、本形態例では、拡開部材、開口保持部材としてローラを用いているが、ローラに限らず蛇腹ホース１の割れ目の端縁を保持しながら摺動するような部材であればよい。また、牽引索３の取付位置についてもガイド腕３０に限らず、補強フレーム３４等の位置に設けることもできる。さらに、蛇腹ホースの直径や挿入するケーブルの本数は任意であり、サイドフレーム同士の間隔等を適宜設定すればよい。
【符号の説明】
【００２５】
１…蛇腹ホース、１ａ…開口、２…ケーブル、３…牽引索、１０…ケーブル挿入治具、１１…拡開部、１２…開口保持部、１３…ケーブルガイド部、１４…蛇腹ホースガイド部、２１…サイドフレーム、２２…ローラ、２３…リンクプレート、２４…ガイドフレーム、２５…ローラ、２６…カバー体、２７…取付片、２８…後部ケーブル抑え部材、２９…前部ケーブル抑え部材、３０…ガイド腕、３１…ガイドローラ、３２…ホース挿通部、３３…補強フレーム、３４…補強フレーム 
【図１】
2015130715.tif 000003
【図２】
2015130715.tif 000004
【図３】
2015130715.tif 000005
【図４】
2015130715.tif 000006